【手続補正書】
【提出日】平成17年5月23日(2005.5.23)
【手続補正１】
【補正対象書類名】明細書
【補正対象項目名】請求項１
【補正方法】変更
【補正の内容】
【請求項１】
コンテンツを利用するための利用権を購入したユーザの端末に対し、当該コンテンツの利用を可能にするライセンスチケットを発行しつつ、各ユーザごとに前記利用権の残量を管理する装置であって、
前記残量を含み、前記利用権の内容を特定するライセンス情報を各ユーザが前記利用権を購入したコンテンツごとに記憶するライセンス情報記憶手段と、
前記残量が予め定められたしきい値以下になると、残量が少なくなってきた旨の通知情報を生成する通知情報生成手段と
を備えることを特徴とするコンテンツ利用権の管理装置。
【手続補正２】
【補正対象書類名】明細書
【補正対象項目名】請求項２
【補正方法】変更
【補正の内容】
【請求項２】
前記コンテンツ利用権の管理装置は、さらに
前記ライセンス情報記憶手段が記憶するライセンス情報中に、前記ライセンス情報の対象となるコンテンツを利用する端末装置の識別子を前記通知情報の通知先として格納する第１の通知先格納手段と、
前記第１の通知先格納手段に識別子が格納された端末装置の中から通知先を決定し、決定した通知先に対して前記通知情報を通知する第１の通知手段と
を備えることを特徴とする請求項１記載のコンテンツ利用権の管理装置。
【手続補正３】
【補正対象書類名】明細書
【補正対象項目名】請求項３
【補正方法】変更
【補正の内容】
【請求項３】
前記コンテンツ利用権の管理装置は、さらに
各ユーザが所有する端末装置ごとのアクセス履歴を記憶するアクセス履歴記憶手段を備え、
前記第１の通知手段は、前記アクセス履歴記憶手段に記憶された端末装置ごとのアクセス履歴に基づいて、前記第１の通知先格納手段に識別子が格納された端末装置の中から通知先を動的に決定する
ことを特徴とする請求項２記載のコンテンツ利用権の管理装置。
【手続補正４】
【補正対象書類名】明細書
【補正対象項目名】請求項１１
【補正方法】変更
【補正の内容】
【請求項１１】
前記コンテンツ利用権の管理装置は、さらに
前記ライセンス情報記憶手段が記憶するライセンス情報中に、ユーザにより指定された端末装置の識別子を通知情報の通知先として格納する第２の通知先格納手段と、
前記第２の通知先格納手段に識別子が格納された端末装置の中から通知先を決定し、決定した通知先に対して前記通知情報を通知する第２の通知手段と
を備えることを特徴とする請求項１記載のコンテンツ利用権の管理装置。
【手続補正５】
【補正対象書類名】明細書
【補正対象項目名】請求項１２
【補正方法】変更
【補正の内容】
【請求項１２】
前記コンテンツ利用権の管理装置は、さらに
各ユーザが所有する端末装置ごとのアクセス履歴を記憶するアクセス履歴記憶手段を備え、
前記第２の通知手段は、前記アクセス履歴記憶手段に記憶された端末装置ごとのアクセス履歴に基づいて、前記第２の通知先格納手段に識別子が格納された端末装置の中から通知先を動的に決定する
ことを特徴とする請求項１１記載のコンテンツ利用権の管理装置。
【手続補正６】
【補正対象書類名】明細書
【補正対象項目名】請求項２１
【補正方法】変更
【補正の内容】
【請求項２１】
前記コンテンツ利用権の管理装置は、さらに
ユーザから利用権の更新の要求があると、この要求を受け付けて、前記ライセンス情報記憶手段に記憶されているそのユーザのライセンス情報が示す利用権を個別に更新する第１の更新手段
を備えることを特徴とする請求項１記載のコンテンツ利用権の管理装置。
【手続補正７】
【補正対象書類名】明細書
【補正対象項目名】請求項２３
【補正方法】変更
【補正の内容】
【請求項２３】
前記コンテンツ利用権の管理装置は、さらに
コンテンツ提供者から利用権の内容変更の申し出があると、この申し出を受け付けて、前記ライセンス情報記憶手段に記憶されているライセンス購入者全員を対象として、前記変更内容の対象となる利用権を申し出の内容に更新する第２の利用権更新手段
を備えることを特徴とする請求項１記載のコンテンツ利用権の管理装置。
【手続補正８】
【補正対象書類名】明細書
【補正対象項目名】請求項２４
【補正方法】変更
【補正の内容】
【請求項２４】
コンテンツを利用するための利用権を購入したユーザの端末に対し、当該コンテンツの利用を可能にするライセンスチケットを発行しつつ、各ユーザごとに前記利用権の残量を管理する方法であって、
前記残量を含み、前記利用権の内容を特定するライセンス情報を各ユーザが前記利用権を購入したコンテンツごとに、ライセンス情報記憶手段に格納するライセンス情報格納ステップと、
前記残量が予め定められたしきい値以下になると、残量が少なくなってきた旨の通知情報を生成する通知情報生成ステップと
を含むことを特徴とするコンテンツ利用権の管理方法。
【手続補正９】
【補正対象書類名】明細書
【補正対象項目名】０００７
【補正方法】変更
【補正の内容】
【０００７】
【課題を解決するための手段】
上記目的を達成するために、本発明に係るコンテンツ利用権の管理装置は、コンテンツを利用するための利用権を購入したユーザの端末に対し、当該コンテンツの利用を可能にするライセンスチケットを発行しつつ、各ユーザごとに前記利用権の残量を管理する装置であって、前記残量を含み、前記利用権の内容を特定するライセンス情報を各ユーザが前記利用権を購入したコンテンツごとに記憶するライセンス情報記憶手段と、前記残量が予め定められたしきい値以下になると、残量が少なくなってきた旨の通知情報を生成する通知情報生成手段とを備えることを特徴とする。
【手続補正１０】
【補正対象書類名】明細書
【補正対象項目名】０００８
【補正方法】変更
【補正の内容】
【０００８】
また、前記コンテンツ利用権の管理装置は、さらに前記ライセンス情報記憶手段が記憶するライセンス情報中に、前記ライセンス情報の対象となるコンテンツを利用する端末装置の識別子を前記通知情報の通知先として格納する第１の通知先格納手段と、前記第１の通知先格納手段に識別子が格納された端末装置の中から通知先を決定し、決定した通知先に対して前記通知情報を通知する第１の通知手段とを備えることを特徴とする構成としてもよい。
【手続補正１１】
【補正対象書類名】明細書
【補正対象項目名】０００９
【補正方法】変更
【補正の内容】
【０００９】
また、前記コンテンツ利用権の管理装置は、さらに前記ライセンス情報記憶手段が記憶するライセンス情報中に、ユーザにより指定された端末装置の識別子を通知情報の通知先として格納する第２の通知先格納手段と、前記第２の通知先格納手段に識別子が格納された端末装置の中から通知先を決定し、決定した通知先に対して前記通知情報を通知する第２の通知手段とを備えることを特徴とする構成としてもよい。
また、前記第１および第２の通知手段は、通知情報を前記ライセンスチケットに埋め込んで通知することを特徴とする構成としてもよい。
【手続補正１２】
【補正対象書類名】明細書
【補正対象項目名】００２７
【補正方法】変更
【補正の内容】
【００２７】
データ管理部５２は、このユーザ用端末装置５ａに予め埋め込まれたクライアントＩＤを保持すると共に、データ再生部５１によるコンテンツの再生に必要なＬＴを通信部５４を介して受け取り、一時的に記憶する。また、データ管理部５２は、通信部５４を介して受け取ったＬＴの中から、コンテンツＩＤと関連付けられた切り出し利用条件（この実施の形態では、コンテンツ１回の再生）や、コンテンツ復号鍵をそれぞれ取り出して一時的に保持する。そして、コンテンツ復号鍵をデータ再生部５１に渡し、データ再生部５１によるコンテンツ再生を切り出し利用条件が守られているか監視し、１回の再生が終わると、ＬＴを消滅させる。また、ＬＴの中に有効期限に関する通知情報が含まれている場合にあっては、データ管理部５２は、この有効期限に関する通知情報を取り出して通知情報読み出し部５３に渡す。
【手続補正１３】
【補正対象書類名】明細書
【補正対象項目名】００３７
【補正方法】変更
【補正の内容】
【００３７】
また、ライセンス情報調査部４７の計算による有効期限までの残存日数が５日以下になると、有効期限がなくなるまで、毎日、通知情報作成部４６ａは、ライセンス情報テーブル４２１ａで指定端末の有無を調べ、指定端末が無い場合には、有効期限に関する通知情報を内容とするメールをその有効期限が迫った端末装置（代表端末）に対して送信し、指定端末がある場合には、有効期限に関する通知情報を内容とするメールをその指定端末に対して送信する。
【手続補正１４】
【補正対象書類名】明細書
【補正対象項目名】００４４
【補正方法】変更
【補正の内容】
【００４４】
ライセンスＡ，Ｂの購入を受け付けたライセンス管理センタ用端末装置４ａのライセンス情報管理部４８ａは、ユーザテーブル４１１のユーザ用端末装置５ａのクライアントＩＤ「ｎａｔ０１」からユーザＩＤ「ｐａｎａ０１」を特定する。そして、ライセンス情報テーブル４２１ａのコンテンツＩＤの欄に曲２，曲４をそれぞれ格納し、各コンテンツＩＤごとのライセンス情報の欄に曲２，曲４の有効期限「７／３１」をそれぞれ格納する。さらに、ライセンス情報管理部４８ａは、ユーザテーブル４１１のクライアントＩＤに対応するユーザが所有する機器名（例えば「ＰＣ」，「携帯電話」等）を表示して曲２，曲４を利用する代表端末を特定させることにより、そのクライアントＩＤ「ｎａｔ０１」を格納し、曲２，曲４ごとにその曲を利用する端末以外のユーザが所有する機器名（例えば「携帯電話」等）を表示して曲２，曲４の有効期限が近づいたときにその旨を通知する装置を指定するか否か問い合わせ、問い合わせの結果、指定があればその指定端末を通知端末に設定して指定端末のクライアントＩＤ（曲４の場合、電話番号の「０９０○×□○△」）を格納し、指定がなければ代表端末を通知端末に設定し、指定端末の欄をブランクにし、ライセンス情報テーブル４２１ａの作成を完了して、曲２，曲４の利用に備える。
【手続補正１５】
【補正対象書類名】明細書
【補正対象項目名】００４８
【補正方法】変更
【補正の内容】
【００４８】
なお、通知情報作成部４６ａは、ライセンス情報調査部４７からの通知で有効期限まで１０日を超える日数があることを確認している。この場合には残存日数の通知の必要がないため、通知情報作成部４６ａは、ＬＴ作成部４５からＬＴを取得するのを中止する。
【手続補正１６】
【補正対象書類名】明細書
【補正対象項目名】００５７
【補正方法】変更
【補正の内容】
【００５７】
また、ライセンス情報調査部４７からユーザ用端末装置５ａのライセンスＢ、曲４の有効期限までの残存日数が５日以下になった旨の通知を受けると、通知情報作成部４６ａは、ライセンス情報テーブル４２１ａに有効期限までの残存日数を通知する指定端末の欄があることを確認し、ユーザＤＢ４１のユーザテーブル４１１から携帯電話機６ａのクライアントＩＤ「０９０○×□○△」に対応するメールアドレス「０９０○×□○△＠ｃｏｄｏｍｏ．ｎｅ．ｊｐ」を読み出し、そのメールアドレスにライセンスＢについて、有効期限に関する通知情報を内容とするメールを送信する（Ｓ９）。このようなメールの送信は、有効期限が切れるまで毎日行われる。
【手続補正１７】
【補正対象書類名】明細書
【補正対象項目名】００６４
【補正方法】変更
【補正の内容】
【００６４】
この場合には、例えば、ユーザがＬＴを取得したものの、コンテンツを直ちには再生しなかったり、切り出し利用条件の回数が多すぎて余らせたりした結果、このＬＴがデータ管理部５２に格納されたまま切り出し利用条件で定められたＬＴを利用できる期限が迫ってくるような状態があり得る。なお、この期限は、ライセンス管理センタ用端末装置４ｂで管理される利用権の有効期限と同じ期限である場合の他、この有効期限よりも早い期限の場合もある。この期限を以下、「ＬＴの利用期限」または単に「期限」とも記す。このような状態を放置しておくと、手持ちのＬＴが不渡り手形のようにただの紙くずとなりかねない。したがって、このような状態についても、何らかの通知を行った方が、よりユーザフレンドリーなシステムといえる。
【手続補正１８】
【補正対象書類名】図面
【補正対象項目名】図１１
【補正方法】変更
【補正の内容】
【図１１】
2003157335.tif 000001